(57)【要約】【課題】  作業・操作等をしながらであっても、特に意識しないでハンドマッサージができ、筋肉の緊張や指・手首の負担・疲労を軽減し、腱鞘炎などの予防にも役立つ指用の冷却・マッサージ器具の提供。【解決手段】  指に装着される指装着部または手袋の指挿入部を備えた指装着具であって、指装着部または指挿入部を冷却するために、冷却装置部と、指装着部または指挿入部に振動を発生させるバイブレーション装置部とが設けられたこと指用の冷却・マッサージ器具を構成する。【選択図】  図１
2005205032.tif 000002
【特許請求の範囲】
【請求項１】
指に装着される指装着部を備えた指装着具であって、
指装着部を冷却するために、手袋のサイズに対応して形成された冷却装置部と、
指装着部に振動を発生させるバイブレーション装置部とが設けられたことを特徴とする、指用の冷却・マッサージ器具。
【請求項２】
請求項１に記載の発明において、
前記指装着具は、手の複数の指ごとに、前記バイブレーション装置部が備えられたことを特徴とする、指用の冷却・マッサージ器具。
【請求項３】
請求項１または２のいずれかに記載の発明において、
前記指装着具は、親指と、親指以外の指との、少なくとも２つ以上の指装着部が設けられ、前記バイブレーション装置部は、指装着部ごとに設けられたことを特徴とする、指用の冷却・マッサージ器具。
【請求項４】
請求項１または２のいずれかに記載の発明において、
前記指装着具は、指ごとに５つの指装着部が設けられ、前記バイブレーション装置部は、指装着部ごとに設けられたことを特徴とする、指用の冷却・マッサージ器具。
【請求項５】
柔軟性を有し指を挿入する指挿入部を備える手袋であって、
指挿入部を冷却するために、手袋のサイズに対応して形成された冷却装置部と、
指挿入部に振動を発生させるバイブレーション装置部とが設けられたことを特徴とする、指用の冷却・マッサージ器具。
【請求項６】
請求項５に記載の発明において、
前記手袋は、手の複数の指ごとに、前記バイブレーション装置部が備えられたことを特徴とする、指用の冷却・マッサージ器具。
【請求項７】
請求項５または６のいずれかに記載の発明において、
前記手袋は、親指と、親指以外の指との、少なくとも２つ以上の指挿入部が設けられ、前記バイブレーション装置部は、指挿入部ごとに設けられたことを特徴とする、指用の冷却・マッサージ器具。
【請求項８】
請求項５または６のいずれかに記載の発明において、
前記手袋は、指ごとに５つの指挿入部が設けられ、前記バイブレーション装置部は、指挿入部ごとに設けられたことを特徴とする、指用の冷却・マッサージ器具。
【請求項９】
請求項１〜８のいずれかに記載の発明において、
前記冷却装置部は、指装着部または指挿入部のサイズに対応した超小型クーラーであることを特徴とする、指用の冷却・マッサージ器具。
【請求項１０】
請求項１〜９のいずれかに記載の発明において、
前記バイブレーション装置部は、ワイヤー線、またはワイヤー網、または弾性体のバイブレーション部材と、前記のバイブレーション部材を動作させる動作機構とを含み構成されることを特徴とする、指用の冷却・マッサージ器具。
【請求項１１】
請求項１〜９のいずれかに記載の発明において、
前記バイブレーション装置部は、気体流動部と、前記の気体流動部に空気を流入させ循環させる動作機構とを含み構成されることを特徴とする、指用の冷却・マッサージ器具。
【請求項１２】
請求項１〜９のいずれかに記載の発明において、
前記バイブレーション装置部は、液体流動部と、前記の液体流動部に充填された液体を循環させる動作機構とを含み構成されることを特徴とする、指用の冷却・マッサージ器具。
【請求項１３】
請求項１１または１２のいずれかに記載の発明において、
前記冷却装置部は、循環する気体または液体を冷却するものであることを特徴とする、指用の冷却・マッサージ器具。
【請求項１４】
請求項１〜１３のいずれかに記載の発明において、
前記の指装着部または指挿入部には、マッサージ効果を高めるための凹凸部材が設けられたことを特徴とする、指用の冷却・マッサージ器具。
【請求項１５】
請求項１〜１４のいずれかに記載の発明において、
前記の指装着部または指挿入部には、マッサージ効果を高めるための弾性部材が設けられたことを特徴とする、指用の冷却・マッサージ器具。
【請求項１６】
請求項１〜１５のいずれかに記載の発明において、
前記冷却装置部またはバイブレーション装置部に電源を供給する電源供給部が設けられたことを特徴とする、指用の冷却・マッサージ器具。
【発明の詳細な説明】
【技術分野】
【０００１】
本発明は、指用の冷却・マッサージ器具に関する。
【背景技術】
【０００２】
近年、パーソナルコンピュータや携帯電話等のコンピュータ機器、情報機器が普及し、また業務のＯＡ化などが著しく進展し、キーボード等の操作をする時間も長くなっている。
このため、キーボードを打ち続けたり、体を動かさずに同じ姿勢でいることにより、筋肉の緊張や指・手首の負担・疲労が増大している。このような情報機器、事務機器の操作による腱鞘炎なども増大しており、その予防や、指・手首の負担・疲労の軽減の必要性が増すばかりである。
【発明の開示】
【発明が解決しようとする課題】
【０００３】
このため、指や手をマッサージする機器などが望まれるが、従来のマッサージ器のように、マッサージをするときだけ使用するものではなく、指から手首にかけて装着でき、作業・操作等をしながらであっても、特に意識しないでハンドマッサージができる構成とすることができれば望ましい。
【０００４】
【特許文献１】特開平９−１０３４５８号公報
【０００５】
特開平９−１０３４５８「ハンドマッサージ機」においては、人体のマッサージしたい部位を的確にマッサージすることができ、取り扱い易くて携帯性にも優れたハンドマッサージ機が提案されている。
ハンドマッサージ機は、柔軟性を有する材料により形成された手袋にバイブレーション装置を設けた構成であり、手袋を手にはめ、その手をマッサージしたい部位に当ててバイブレーションマッサージを行うものである。
しかしながら、上記技術は手や指をマッサージするものではなく、バイブレーション装置を備えた手袋を用いて手や指ではない別の部位のマッサージを行うというものである。
【０００６】
【特許文献１】特開２００１−２５２３３１号公報
【０００７】
特開２００１−２５２３３１「楽々モミモミ・握力倍増魔法の指按摩器」においては、指の腹側アーム、指の爪側アーム、握力支点枠、握力伝達受けピン、握力伝達ピンにより構成され、指サック・手袋を使用したり、指の腹側にバイブレーターを付けることよって構成された指按摩器が提案されている。
しかしながら上記出願は、梃子の原理等を利用して握力を増大させる目的を有するものであり、この点において大きく異なるばかりでなく、指按摩器は各指に挿入する指ごとに独立したものであるため、取り扱いも面倒なものである。
【０００８】
特開２０００−３２５３８２「血行促進装置」において、手足を濡らすことなく簡易な構成で手軽に手や足を繰り返して冷却・加熱を行うことができる血行促進装置が提案されており、血行促進はマッサージと同様に、筋肉の緊張や指・手首の負担・疲労の軽減に有効なものであるが、上記発明では冷却と加熱を行うことはできてもマッサージを行うことはできないものである。
【０００９】
そこで本発明においては、上記の様々な課題を解決し、従来のマッサージ器のように、マッサージをするときだけ使用するのではなく、指から手首にかけて装着でき、作業・操作等をしながらであっても、特に意識しないでハンドマッサージができる構成とすることにより、キーボードを打ち続けたり、体を動かさずに同じ姿勢でいる必要がある場合であっても、筋肉の緊張や指・手首の負担・疲労を軽減し、腱鞘炎などの予防にも役立つ指用の冷却・マッサージ器具を提供することを目的とする。
【００１０】
このため、指や手をマッサージする機器などが望まれるが、できれば望ましい。
【課題を解決するための手段】
【００１１】
上記課題を解決するため、請求項１に記載の発明においては、
指に装着される指装着部を備えた指装着具であって、
指装着部を冷却するために、手袋のサイズに対応して形成された冷却装置部と、
指装着部に振動を発生させるバイブレーション装置部とが設けられた、指用の冷却・マッサージ器具であることを特徴としている。
【００１２】
また、上記課題を解決するため、請求項２に記載の発明においては、
請求項１に記載の発明において、
前記指装着具は、手の複数の指ごとに、前記バイブレーション装置部が備えられた、指用の冷却・マッサージ器具であることを特徴としている。
【００１３】
また、上記課題を解決するため、請求項３に記載の発明においては、
請求項１または２のいずれかに記載の発明において、
前記指装着具は、親指と、親指以外の指との、少なくとも２つ以上の指装着部が設けられ、前記バイブレーション装置部は、指装着部ごとに設けられた、指用の冷却・マッサージ器具であることを特徴としている。
【００１４】
また、上記課題を解決するため、請求項４に記載の発明においては、
請求項１または２のいずれかに記載の発明において、
前記指装着具は、指ごとに５つの指装着部が設けられ、前記バイブレーション装置部は、指装着部ごとに設けられた、指用の冷却・マッサージ器具であることを特徴としている。
【００１５】
また、上記課題を解決するため、請求項５に記載の発明においては、
柔軟性を有し指を挿入する指挿入部を備える手袋であって、
指挿入部を冷却するために、手袋のサイズに対応して形成された冷却装置部と、
指挿入部に振動を発生させるバイブレーション装置部とが設けられた、指用の冷却・マッサージ器具であることを特徴としている。
【００１６】
また、上記課題を解決するため、請求項６に記載の発明においては、
請求項５に記載の発明において、
前記手袋は、手の複数の指ごとに、前記バイブレーション装置部が備えられた、指用の冷却・マッサージ器具であることを特徴としている。
【００１７】
また、上記課題を解決するため、請求項７に記載の発明においては、
請求項５または６のいずれかに記載の発明において、
前記手袋は、親指と、親指以外の指との、少なくとも２つ以上の指挿入部が設けられ、前記バイブレーション装置部は、指挿入部ごとに設けられた、指用の冷却・マッサージ器具であることを特徴としている。
【００１８】
また、上記課題を解決するため、請求項８に記載の発明においては、
請求項５または６のいずれかに記載の発明において、
前記手袋は、指ごとに５つの指挿入部が設けられ、前記バイブレーション装置部は、指挿入部ごとに設けられた、指用の冷却・マッサージ器具であることを特徴としている。
【００１９】
また、上記課題を解決するため、請求項９に記載の発明においては、
請求項１〜８のいずれかに記載の発明において、
前記冷却装置部は、指装着部または指挿入部のサイズに対応した超小型クーラーである、指用の冷却・マッサージ器具であることを特徴としている。
【００２０】
また、上記課題を解決するため、請求項１０に記載の発明においては、
請求項１〜９のいずれかに記載の発明において、
前記バイブレーション装置部は、ワイヤー線、またはワイヤー網、または弾性体のバイブレーション部材と、前記のバイブレーション部材を動作させる動作機構とを含み構成される、指用の冷却・マッサージ器具であることを特徴としている。
【００２１】
また、上記課題を解決するため、請求項１１に記載の発明においては、
請求項１〜９のいずれかに記載の発明において、
前記バイブレーション装置部は、気体流動部と、前記の気体流動部に空気を流入させ循環させる動作機構とを含み構成される、指用の冷却・マッサージ器具であることを特徴としている。
【００２２】
また、上記課題を解決するため、請求項１２に記載の発明においては、
請求項１〜９のいずれかに記載の発明において、
前記バイブレーション装置部は、液体流動部と、前記の液体流動部に充填された液体を循環させる動作機構とを含み構成される、指用の冷却・マッサージ器具であることを特徴としている。
【００２３】
また、上記課題を解決するため、請求項１３に記載の発明においては、
請求項１１または１２のいずれかに記載の発明において、
前記冷却装置部は、循環する気体または液体を冷却するものである、指用の冷却・マッサージ器具であることを特徴としている。
【００２４】
また、上記課題を解決するため、請求項１４に記載の発明においては、
請求項１〜１３のいずれかに記載の発明において、
前記の指装着部または指挿入部には、マッサージ効果を高めるための凹凸部材が設けられた、指用の冷却・マッサージ器具であることを特徴としている。
【００２５】
また、上記課題を解決するため、請求項１５に記載の発明においては、
請求項１〜１４のいずれかに記載の発明において、
前記の指装着部または指挿入部には、マッサージ効果を高めるための弾性部材が設けられた、指用の冷却・マッサージ器具であることを特徴としている。
【００２６】
また、上記課題を解決するため、請求項１６に記載の発明においては、
請求項１〜１５のいずれかに記載の発明において、
前記冷却装置部またはバイブレーション装置部に電源を供給する電源供給部が設けられた、指用の冷却・マッサージ器具であることを特徴としている。
【発明の効果】
【００２７】
本発明によれば、従来のマッサージ器のように、マッサージをするときだけ使用するのではなく、指から手首にかけて装着でき、作業・操作等をしながらであっても、特に意識しないでハンドマッサージができる構成とすることにより、キーボードを打ち続けたり、体を動かさずに同じ姿勢でいる必要がある場合であっても、筋肉の緊張や指・手首の負担・疲労を軽減し、腱鞘炎などの予防にも役立つ指用の冷却・マッサージ器具を提供することができる。
【発明を実施するための最良の形態】
【００２８】
以下、本発明の実施の形態について図面を参照して説明する。
（第一の実施形態）
本発明の第一の実施形態は、指に装着される指装着部を備えた指装着具であって、指用の冷却・マッサージ器具である。
図１および図２は、本発明の第一の実施形態の基本的な構成の一例を示すブロック図である。
図１、図２および各図において、符号Ａは指装着部または指挿入部、符号１０はバイブレーション装置部、２０は冷却装置部、３０は電源供給部を示している。
【００２９】
図１においては、親指と、親指以外の指との、少なくとも２つ以上の指装着部Ａが設けられ、バイブレーション装置部１０は指装着部Ａごとに設けられた、指用の冷却・マッサージ器具のブロック図を示している。
図２においては、手の複数の指ごとに指装着部Ａが設けられ、バイブレーション装置部１０が備えられた、指用の冷却・マッサージ器具のブロック図を示している。
それぞれの構成については後述する。
【００３０】
本明細書および図面において、指装着部Ａを備えた指装着具とは、手のそれぞれの指ごと、あるいは親指と親指以外の指との少なくとも２つ以上において、後述するバイブレーション装置部１０が設けられた、指に装着できる部材をさしている。具体的には、手袋に類似する形状ではあるが、指先が指装着具Ａから外に出るようになっている形態や、手の甲のみ、または手の平のみが指装着具Ａに覆われているがもう一方は指装着具Ａに覆われていない形態など、指装着部Ａが指に装着できるものの完全な手袋の構造をなすには至らない各種の装着具を含むものである。それぞれの指ごとに指輪状、環状リング状の指装着部Ａが装着され、手首近辺部分にはリストバンド状、その他の形状の、後述する電源供給部３０や冷却装置部２０などが設けられた部材が装着され、これらが連結されたような形態をも含むものである。
図３および図４は、本実施形態の一例を示す図である。
図３においては、手のそれぞれの指ごとに、後述する指装着部Ａが設けられた、指に装着できる部材である指装着具の一例を示している。図４においては、手の甲のみが指装着具Ａに覆われているが手の平は指装着具Ａに覆われていない指装着具の一例を示している。
【００３１】
（第二の実施形態）
本発明の第二の実施形態は、柔軟性を有し指を挿入する指挿入部を備える手袋であって、指用の冷却・マッサージ器具である。
図５および図６は、本発明の第二の実施形態の基本的な構成の一例を示すブロック図である。
図５においては、親指と、親指以外の指との、少なくとも２つ以上の指挿入部Ａが設けられ、バイブレーション装置部１０は指挿入部Ａごとに設けられた、指用の冷却・マッサージ器具のブロック図を示している。
図６においては、手の複数の指ごとに、指挿入部が設けられ、バイブレーション装置部１０が備えられた、指用の冷却・マッサージ器具のブロック図を示している。
それぞれの構成については後述する。
【００３２】
本発明の第二の実施形態は、図７、図８に示されるような、手袋において指用の冷却・マッサージ器具が実現された形態である。
指挿入部Ａを冷却するために、手袋のサイズに対応して形成された冷却装置部２０と、指挿入部Ａに振動を発生させるバイブレーション装置部１０とが設けられている。
図８において手袋は、指ごとに５つの指挿入部が設けられ、前記バイブレーション装置部は、指挿入部ごとに設けられている。
【００３３】
（第一の実施形態および第二の実施形態の構成）
次に、本発明の指用の冷却・マッサージ器具の、第一の実施形態および第二の実施形態において共通する構成について説明する。
本発明の指用の冷却・マッサージ器具は、指装着部Ａまたは指挿入部Ａに振動を発生させるバイブレーション装置部１０が設けられている。
バイブレーション装置部１０は、様々な構成により振動を発生させて、マッサージ効果を実現させることができる。
図９、図１０、および図１１は、本発明の指用の冷却・マッサージ器具の、指装着部Ａまたは指挿入部Ａの構成の一例を示す断面図である。
【００３４】
各図において、冷却装置部２０またはバイブレーション装置部１０に電源を供給する電源供給部３０が設けられている。
電源供給部３０は、ボタン型電池などの電源を収容する部材や、小型ソーラーパネルなどの小型発電装置などである。
電源供給部３０から冷却装置部２０、バイブレーション装置部１０に対し電源供給を行うように配線がされている。
【００３５】
図９において、バイブレーション装置部１０は、ワイヤー線、またはワイヤー網、または弾性体のバイブレーション部材と、前記のバイブレーション部材を動作させる動作機構とを含み構成されている。
手袋を構成する布、樹脂などが二重構造をなしており、その内部にワイヤー線、またはワイヤー網、または合成樹脂、ばね、ゴム、その他の弾性体のバイブレーション部材が挿入されている。バイブレーション部材を動作させる小型モーターなどの動作機構により、バイブレーション部材が振動を発生させ、あるいは回転するなどして振動を発生させることにより、マッサージ効果を実現させる。
【００３６】
バイブレーション装置部１０は、手の複数の指ごとに備えられ、少なくとも親指と親指以外の指との２つ以上のバイブレーション装置部１０が設けられる。５本の指を有する手袋などにあっては、指ごとに５つのバイブレーション装置部１０が設けられることが好ましい。
としている。
【００３７】
指装着部Ａまたは指挿入部Ａには、マッサージ効果を高めるための凹凸部材が内側に設けられるようにしてもよい。
また、指装着部Ａまたは指挿入部Ａには、マッサージ効果を高めるためのゴム、スポンジ、気体や液体が密閉されたシート状部材などの弾性部材が設けられるようにしてもよい。
【００３８】
次に、図１０、および図１１において、バイブレーション装置部１０は、気体流動部と、前記の気体流動部に空気を流入させ循環させる動作機構とを含み構成されている。
手袋を構成する布、樹脂などが二重構造をなしており、その内部に液体流動部と、前記の液体流動部に充填された液体を循環させる動作機構とを含み構成されている。液体は、水などのほか、粘度の高いジェル上の液体などが好ましい。二重構造をなしている手袋を構成する布、樹脂などは、当該二重構造の内部に、液体または気体が循環するパイプ状の循環路が張り巡らされるようにしてもよい。また、当該二重構造の手袋を構成する布、樹脂などを、いくつもの室に分離し、その相互間に弁を設けるなどして、室から他の室へ気体または液体が循環し、弁の部分の抵抗により循環が行われる際に振動が生じ、マッサージ効果を生じるようにすることができる。
図１２は、いくつもの室に分離され、その相互間に弁を設けるなどして、室から他の室へ気体または液体が循環する状態の一例を示す模式図である。
【００３９】
次に、本発明の指用の冷却・マッサージ器具は、指装着部Ａまたは指挿入部Ａを冷却するために形成された冷却装置部２０を備えている。
冷却装置部２０は、好ましい形態の一例としては、指装着部または指挿入部のサイズに対応した超小型クーラーである。
また、冷却装置部２０の別の好ましい形態の一例としては、前述した循環する気体または液体を、超小型のファンなどにより冷却するものである。
【産業上の利用可能性】
【００４０】
以上詳細に説明したように、本発明によれば、従来のマッサージ器のように、マッサージをするときだけ使用するのではなく、指から手首にかけて装着でき、作業・操作等をしながらであっても、特に意識しないでハンドマッサージができる構成とすることがにより、キーボードを打ち続けたり、体を動かさずに同じ姿勢でいる必要がある場合であっても、筋肉の緊張や指・手首の負担・疲労を軽減し、腱鞘炎などの予防にも役立つ指用の冷却・マッサージ器具を提供することができる。
【図面の簡単な説明】
【００４１】
【図１】親指と、親指以外の指との、少なくとも２つ以上の指装着部Ａが設けられ、バイブレーション装置部１０が指装着部Ａごとに設けられた、指用の冷却・マッサージ器具のブロック図である。
【図２】手の複数の指ごとに、バイブレーション装置部１０が備えられた、指用の冷却・マッサージ器具のブロック図である。
【図３】手のそれぞれの指ごとに、後述する指装着部Ａが設けられた、指に装着できる部材である指装着具の一例を示す図である。
【図４】手の甲のみが指装着具Ａに覆われているが手の平は指装着具Ａに覆われていない指装着具の一例を示す図である。
【図５】親指と、親指以外の指との、少なくとも２つ以上の指挿入部Ａが設けられ、バイブレーション装置部１０が指挿入部Ａごとに設けられた、指用の冷却・マッサージ器具のブロック図である。
【図６】手の複数の指ごとに、指挿入部が設けられ、バイブレーション装置部１０が備えられた、指用の冷却・マッサージ器具のブロック図である。
【図７】親指と、親指以外の指との、少なくとも２つ以上の指挿入部Ａが設けられ、バイブレーション装置部１０が指挿入部Ａごとに設けられた、指用の冷却・マッサージ器具を示す図である。
【図８】指ごとに５つの指挿入部が設けられ、前記バイブレーション装置部１０が指挿入部Ａごとに設けられた、指用の冷却・マッサージ器具を示す図である。
【図９】本発明の指用の冷却・マッサージ器具の、指装着部Ａまたは指挿入部Ａの構成の一例を示す断面図である。
【図１０】本発明の指用の冷却・マッサージ器具の、指装着部Ａまたは指挿入部Ａの構成の一例を示す断面図である。
【図１１】本発明の指用の冷却・マッサージ器具の、指装着部Ａまたは指挿入部Ａの構成の一例を示す断面図である。
【図１２】いくつもの室に分離され、その相互間に弁を設けるなどして、室から他の室へ気体または液体が循環する状態の一例を示す模式図である。
【図１】
2005205032.tif 000003
【図２】
2005205032.tif 000004
【図３】
2005205032.tif 000005
【図４】
2005205032.tif 000006
【図５】
2005205032.tif 000007
【図６】
2005205032.tif 000008
【図１２】
2005205032.tif 000009
【図７】
2005205032.tif 000010
【図８】
2005205032.tif 000011
【図９】
2005205032.tif 000012
【図１０】
2005205032.tif 000013
【図１１】
2005205032.tif 000014